(57)【要約】【課題】表裏面板間に中空部が形成された押出し成形材を用いて構成されたドアにおいて、屋内側に配されるサムターンの操作による施錠具の解錠を防止するように構成する。【解決手段】表裏面板間３ａ、５ａ、６ａに中空部が形成された押出し成形材（例えばアルミ型材）で構成された左右の框材３と内側縦部材５と外側縦部材６とにおいて、表裏面板３ａ、５ａ、６ａ間に、該表裏面板３ａ、５ａ、６ａに対して直交する状態のリブ３ｃ、５ｃ、６ｃをそれぞれ一体的に形成して、中空部を、手が入らない大きさの区画に分割する構成とする。【選択図】        図２
2004346511.tif 000002
【特許請求の範囲】
【請求項１】
表裏面板間に中空部が形成された押出し成形材を用いてドアを構成するにあたり、前記中空部の少なくとも施錠具近傍部位は、表裏面板と一体的に型成形されるリブにより複数に分割されているドア。
【請求項２】
請求項１において、リブは、表裏面板に対して直交する状態で形成されているドア。
【請求項３】
請求項１において、リブは、表裏面板に対して傾斜する状態で形成されているドア。
【請求項４】
請求項１乃至３の何れかにおいて、リブにより分割された各区画は、手が入らない大きさに設定されているドア。
【発明の詳細な説明】
【０００１】
【発明の属する技術分野】
本発明は、玄関等の建築物の出入り口部に設けられるドアの技術分野に属するものである。
【０００２】
【従来の技術】
一般に、この種玄関等の建築物の出入り口部に設けられるドアのなかには、表裏面板を構成する一対の片部を備え、これら片部間に中空部が形成された押出し成形材（例えばアルミ型材）を用いて構成されたものがある（例えば、特許文献１、２参照。）。
【０００３】
【特許文献１】
実開平６−３２６７８号公報
【特許文献１】
実用新案登録番号第３０１２９２９号公報
【０００４】
【発明が解決しようとする課題】
ところで、前記従来の特許文献１のものは、ドアの中央部を除く左右の部位を構成する部材として押出し成形材が用いられており、特許文献２のものは、四周框材として押出し成形材が用いられており、何れのものもドアを施錠するための施錠具取付け部位が押出し成形材で構成されるようになっている。しかるに、押出し成形材部位は表裏面板間に中空部が形成される構成となっているため、施錠具近傍に表裏方向（屋内外方向）に貫通する孔を形成しようとしたとき、単に表裏面板を切り落としたり、ドリルで貫通させればよいことになって作業をされやすく、例えば図５に示すように、ドア１４の施錠具の近傍に孔Ｈを形成し、該孔Ｈから屋内側に手を差し入れてサムターン８を回転させて、施錠具を解錠させることも可能になってしまうこともあって問題があり、ここに本発明が解決しようとする課題があった。
【０００５】
【課題を解決するための手段】
本発明は、上記の如き実情に鑑み、これらの課題を解決することを目的として創作されたものであって、表裏面板間に中空部が形成された押出し成形材を用いてドアを構成するにあたり、前記中空部の少なくとも施錠具近傍部位は、表裏面板と一体的に型成形されるリブにより複数に分割されているものである。
そして、このようにすることにより、押出し成形材に、表裏方向に貫通する孔が形成されにくくなって、板厚を厚くする等による強度アップを図ることなく防犯性を高めることができる。
このものにおいて、本発明のリブは、表裏面板に対して直交する状態で形成されているものとすることができ、このようにすることにより、ドア自体の強度アップを図ることができる。
さらに、このものにおいて、本発明のリブは、表裏面板に対して傾斜する状態で形成されているものとすることができ、このようにすることにより、ドア自体の強度アップを図ることができる。
また、このものにおいて、本発明のリブにより分割された各区画は、手が入らない大きさに設定されているものとすることができ、このようにすることにより、大きな孔を開けにくくできて、高い防犯性を備えたものにすることができる。
【０００６】
【発明の実施の形態】
次に、本発明の第一の実施の形態を図１〜図３の図面に基づいて説明する。
図面において、１は玄関に建付けられるドアであって、該ドア１は、上下、左右の框材２、３と、ドア１の中央部を構成する上下方向長尺状の飾りパネル材４と、該飾りパネル材４の左右にそれぞれ組込まれる一対の上下方向長尺状の内側縦部材５と、その外側にそれぞれ組込まれる一対の上下方向長尺状の外側縦部材６とを備えて構成されている。そして、本実施の形態のドア１は、上下、左右の框材２、３と内側縦部材５と外側縦部材６とが、アルミを押出し成形することにより形成されたアルミ型材（押出し成形材）で構成されている。
【０００７】
そして、左右の框材３と内側縦部材５と外側縦部材６とは、ドアの表裏の面板を構成する表裏面板３ａ、５ａ、６ａと、飾りパネル材４を基準として内外の側面板３ｂ、５ｂ、６ｂとを備えた矩形状に形成されており、対向する表裏面板３ａ、５ａ、６ａ間にはそれぞれ中空部が形成されている。さらに、表裏面板３ａ、５ａ、６ａとのあいだには、該表裏面板３ａ、５ａ、６ａに対して直交状、即ち、内外の側面板３ｂ、５ｂ、６ｂと対向するリブ３ｃ、５ｃ、６ｃがそれぞれ上下方向全体にわたって形成されており、これによって、中空部が分割されて（仕切られて）複数の区画を形成するように設定されている。
因みに、左右の框材３と外側縦部材６とには、二枚のリブ３ｃ、６ｃが一体形成されており、中空部が三つに分割されるように設定されており、内側框材５には一枚のリブ５ｃが一体形成されており、中空部が二つに分割されるように設定されている。
【０００８】
そして、中央に位置する飾りパネル材４は、内側縦部材５の内側の側面板３ｂに形成された凹部５ｄに嵌合することで一体的に組込まれ、また、内側縦部材５と外側縦部材６とは、対向する側面板５ｂ、６ｂにそれぞれ形成された係合凸部５ｅと係合凹部６ｄとを、互いに係合させることにより一体的に組込まれるように設定されている。さらに、外側縦部材６と左右の框材３とは、対向する側面板６ｂ、３ｂにそれぞれ形成される係合凸部６ｅと係合凹部３ｄとを、互いに係合させることにより一体的に組込まれるように設定されている。
【０００９】
このように組込まれたドア１において、ドア１の開閉操作をするための把手７は、左右何れか一方の框材３に取付けられており、これに伴い施錠具（図示せず）も前記框材３に取付けられている。尚、８は施錠具を屋内側から施錠−解錠操作するためのサムターンであって、該サムターン８は前記框材３の屋内側面に設けられており、サムターン８を正逆回転させることに基づいて施錠具の施錠−解錠がなされるように設定されている。
【００１０】
そして、本実施の形態では、サムターン８が取付けられる框材３とサムターン８の近傍部位となる外側縦部材６とにおいて、表裏面板３ａ、６ａ間に形成されたリブ３ｃ、６ｃにより中空部が分割されており、かつ、分割されることにより形成された中空部の各区画の大きさは、人の手が入ることのない大きさに寸法設定されている。これによって、框材３や外側縦部材６に、サムターン８を回転する等不正解錠するべく手を差し込むための孔を形成しようとしたとして、リブ３ｃ、６ｃが邪魔をして大きな孔を形成しにくく、手を差し込めないようになっている。さらには、工具を差し入れるための小さな孔をドリル等により開設しようとしたとして、リブ３ｃ、６ｃ形成部位ではドリル先端が芯ズレする等して、貫通孔の穿孔作業がやりにくくなるようになっている。尚、本実施の形態では、内側縦部材５についても、リブ５ｃを設けることにより形成された区画は、左右の框材３、外側縦部材６と同様に手が入り込めない大きさになっている。
【００１１】
叙述の如く構成された本発明の実施の形態において、押出し成形材を用いたドア１において、施錠具近傍となる框材３と外側縦部材６と、さらには内側縦部材５との表裏面板３ａ、６ａ間の中空部は、リブ３ｃ、５ｃ、６ｃにより小さな区画に分割されている。しかも、分割された各区画は手が入らない大きさに形成されている結果、框材３、内側縦部材５、外側縦部材６の各表裏面板３ａ、５ａ、６ａを破壊しようとしてもリブ３ｃ、５ｃ、６ｃが邪魔となって表裏面板３ａ、５ａ、６ａを広範囲にわたって引き剥すようなことができなくなって、表裏（屋内外）を貫通する大きな孔が開けにくくなるうえ、また、施錠具を解錠するために特殊な工具を差し込むための小さな孔をドリル等により形成しようとしても、リブ３ｃ、５ｃ、６ｃ形成部位では作業が難しく長時間にわたる作業が要求されることになり、もって、ドア１の各部材の板厚を厚くしたり、スティール等の補強材を設ける等による強度アップを図ることなく、高い防犯性を備えた製品とすることができる。
【００１２】
しかも、本発明が実施されたものでは、リブ３ｃ、５ｃ、６ｃが表裏面板３ａ、５ａ、６ａに対して一体化された状態で形成されているので、框材３、内側縦部材５、外側縦部材６それぞれの強度を高めることができ、ドア１自体の強度を高めることができる。
【００１３】
尚、本発明は前記実施の形態に限定されないことは勿論であって、前記第一の実施の形態のドアは、左右の框材、内、外側縦部材とが一体的に組込まれる構成となっているが、このように分割されることなく、予め一体となった押出し型材を用いてドアを構成することも可能であり、この場合においても、少なくとも施錠具が取付けられる施錠具近傍部位にリブを設けることで、防犯性の高いドアにすることができる。
また、図４に示す第二の実施の形態のように構成することもできる。
第二の実施の形態のドア９は、前記第一の実施の形態と同様に上下の框材（図示せず）、左右の框材１０、飾りパネル材１１、内側縦部材１２、外側縦部材１３を用いて構成されており、飾りパネル１１を除く各部材１０、１２、１３が押出し成形材で一体形成されたものとなっている。そして、このものでは、左右の框材１０と内側縦部材１２と外側縦部材１３との表裏面板１０ａ、１２ａ、１３ａ間に形成される中空部を分割するリブ１０ｃ、１２ｃ、１３ｃが表裏面板１０ａ、１２ａ、１３ａに対して傾斜状に一体形成されている。因みに、本実施の形態において、框材１０と外側縦部材１３とに形成されるリブ１０ｃ、１３ｃは、それぞれ三箇所に形成されているが、リブは中空部の大きさに合わせて適宜形成箇所数を増減することができる。そして、このように構成することで、ドア９の表裏を貫通する孔が開けにくくなって、ドア９の板厚を厚くする等による強度の増強を図ることことなく防犯性を高めることができる。
尚、リブを傾斜状に設ける場合に、リブを大きく傾斜させて、リブ同志が表裏方向に積層する状態で形成すれば、さらに貫通孔が形成されにくくなり、防犯性を一層高めることができる。さらに、リブの形状としては、前記各実施の形態のように直線的な形状のものの外に、例えば波形状のもの等、種々の形状を想定することができ、中空部を分割して区画とすることで表裏方向に貫通する孔が形成されにくく、かつ、手が入り込めなくなるような大きさになればどのような形状であってもよい。
【図面の簡単な説明】
【図１】ドアの概略正面図である。
【図２】図１のＸ−Ｘ断面図である。
【図３】ドアの一部を切欠いた斜視図である。
【図４】図４（Ａ）、（Ｂ）はそれぞれ第二の実施の形態におけるドアの断面図、一部を切欠いた斜視図である。
【図５】従来例におけるドアの断面図である。
【符号の説明】
１    ドア
３    左右の框材
３ｃ    リブ
５    内側縦部材
６    外側縦部材
６ｃ    リブ
７    把手
８    サムターン
【図１】
2004346511.tif 000003
【図２】
2004346511.tif 000004
【図３】
2004346511.tif 000005
【図４】
2004346511.tif 000006
【図５】
2004346511.tif 000007